(57)【要約】      （修正有）【課題】簡単な構造で迅速且つ有効に角磨耗ネジを外せる角磨耗ネジを外せる六角スパナを提供する。【解決手段】六角スパナはスリーブ１０の端部に嵌合軸２０を嵌入し、その嵌合軸周辺縁一側面に半円形の断面である納置円弧槽２１を形成する。この納置円弧槽内には円弧停止面２６を具える係止部品２５を設置し、更に嵌合軸が係止部品の一側で弾性部品２７を支え、係止部品一側辺縁を上向きに回転させ嵌合軸の周辺縁に突出させる。上述の構造により、嵌合軸がすでに磨耗した内六角孔に掛合されると、突出した係止部品の辺縁で内六角孔の対応角が押さえられ、嵌合軸が滑るのを防止する。【選択図】図１
2007301648.tif 000002
【特許請求の範囲】
【請求項１】
主にスリーブ及び嵌合軸から構成された角磨耗ネジを外せる六角スパナにおいて、そのうち、
スリーブは嵌合軸に対応する一端に接合孔を形成し、六角柱形状の嵌合軸の内の一側表面には一筋の納置円弧槽が形成され、嵌合軸はスリーブに対応する一端に接合段を形成し、その接合段はスリーブの接合孔内に対応して差し込み、続いて嵌合軸の接合段上に横向に貫く納置円弧槽の断面層を形成し、
前述の嵌合軸の納置円弧槽内には係止部品を設置し、その係止部品の底縁には対応する円弧停止面を形成し、また嵌合軸の断面槽内には弾性部品を設置し、その弾性部品が係止部品を押さえ、係止部品を納置円弧槽似対応させて上向きに回転するもので、
これらによって、組立しやすく、角が磨耗したネジを確実に捉えることを特徴とする角磨耗ネジを外せる六角スパナ。
【請求項２】
請求項１記載の角磨耗ネジを外せる六角スパナにおいて、前記嵌合軸の納置円弧槽は、後段に係止部品と接合孔を支える圧縮バネが設置され、その係止部品を少し突出させてネジの六角孔内に入れやすくすることを特徴とする角磨耗ネジを外せる六角スパナ。
【請求項３】
請求項１記載の角磨耗ネジを外せる六角スパナにおいて、前記スリーブは、ラチェット式スリーブスパナに利用され、差し込んで操作することを特徴とする角磨耗ネジを外せる六角スパナ。
【請求項４】
請求項１記載の角磨耗ネジを外せる六角スパナにおいて、前記スリーブは、後段横向に横桿が設置され、それによってＴ字型スパナとなり、使用者が操作しやすくなることを特徴とする角磨耗ネジを外せる六角スパナ。
【請求項５】
請求項１記載の角磨耗ネジを外せる六角スパナにおいて、前記嵌合軸の断面槽は、その一側底面に弾性部品を設置する納置孔が形成され、係止部品一側縁には弾性部品最上部を支える凸片が形成されて係止部品を納置円弧槽似相対して上向きに回転させることを特徴とする角磨耗ネジを外せる六角スパナ。
【発明の詳細な説明】
【技術分野】
【０００１】
本発明は、角磨耗ネジを外せる六角スパナに関するもので、構造が簡単、且つ角が磨耗してしまったネジを確実に捉えて回転し、抜き出すことができる六角スパナである。
【背景技術】
【０００２】
ネジは固定物を結合する部品であり、環境や異なる要求により、ネジの頭部が挟持もしくはスリーブを使用した六角ヘッドもしくは六角スパナを使用する内六角孔に分かれる。また内六角孔式のネジは長時間重複して回転することで、反作用により、内六角孔の角が磨耗して円弧形角落ちになった時、一般の六角スパナではネジを外すことができなくなり、六角ヘッドのネジでない多種の工具で直接抜き出す。例如特許文献１、特許文献２、特許文献３等。
【０００３】
【特許文献１】台湾特許第Ｉ２５０９２２号明細書
【特許文献２】台湾特許第５８４５８７号明細書
【特許文献３】台湾特許第５４５３４０号明細書
【０００４】
一般に六角スパナの内六角孔式ネジを外す方法は、ネジ上に穴を開け、抜取工具で取り出す。しかし、一定の硬度を備えたネジに孔を空けるのは容易ではなく、面倒でもある。更に抜取工具を孔に固定して抜き出す方法は、係止が有効でないと、失敗しやすいため、何度も同じ操作をしなければならず、ネジ孔内にネジが更にしまってしまう現象も起きる。
【発明の開示】
【発明が解決しようとする課題】
【０００５】
本発明の目的は、角磨耗ネジを外せる六角スパナを提供し、簡易な構造によって迅速、且つ角が磨耗してしまったネジを有効に抜き取る。
【０００６】
このため、本発明では下述の技術手段によってすでに磨耗してしまったネジを外すことを実現する。本発明は、スリーブ及び嵌合軸から構成される。
そのうち、スリーブの嵌合軸に対応する一端には接合孔が形成され、六角柱形状の嵌合軸の一側表面には一筋の納置円弧槽が形成され、嵌合軸のスリーブに対応する一端には接合段が形成され、その接合段はスリーブの接合孔内に対応して嵌合される。また嵌合軸の接合段上には横向に貫く納置円弧槽の断面槽が形成される。
【０００７】
前述の嵌合軸は、納置円弧槽内に係止部品が設置され、その係止部品の底縁には対応する円弧停止面が形成され、嵌合軸の断面槽内には弾性部品が設置され、その弾性部品が係止部品の側面縁を押さえ、係止部品を納置円弧槽に相対して上向きに回転させる。
【０００８】
これによって本発明の嵌合軸をすでに角が磨耗したネジの内六角孔に入れ、突出した係止部品の辺縁で内六角孔の対応角を押さえ、嵌合軸が滑るのを防止する。これによって停止効果が向上し、使用者は角が磨耗したネジを有効に引き抜き、操作の便利性を大幅に高める。
【課題を解決するための手段】
【０００９】
請求項１の発明は、主にスリーブ及び嵌合軸から構成された角磨耗ネジを外せる六角スパナにおいて、そのうち、
スリーブは嵌合軸に対応する一端に接合孔を形成し、六角柱形状の嵌合軸の内の一側表面には一筋の納置円弧槽が形成され、嵌合軸はスリーブに対応する一端に接合段を形成し、その接合段はスリーブの接合孔内に対応して差し込み、続いて嵌合軸の接合段上に横向に貫く納置円弧槽の断面層を形成し、
前述の嵌合軸の納置円弧槽内には係止部品を設置し、その係止部品の底縁には対応する円弧停止面を形成し、また嵌合軸の断面槽内には弾性部品を設置し、その弾性部品が係止部品を押さえ、係止部品を納置円弧槽似対応させて上向きに回転するもので、
これらによって、組立しやすく、角が磨耗したネジを確実に捉えることを特徴とする角磨耗ネジを外せる六角スパナとしている。
請求項２の発明は、請求項１記載の角磨耗ネジを外せる六角スパナにおいて、前記嵌合軸の納置円弧槽は、後段に係止部品と接合孔を支える圧縮バネが設置され、その係止部品を少し突出させてネジの六角孔内に入れやすくすることを特徴とする角磨耗ネジを外せる六角スパナとしている。
請求項３の発明は、請求項１記載の角磨耗ネジを外せる六角スパナにおいて、前記スリーブは、ラチェット式スリーブスパナに利用され、差し込んで操作することを特徴とする角磨耗ネジを外せる六角スパナとしている。
請求項４の発明は、請求項１記載の角磨耗ネジを外せる六角スパナにおいて、前記スリーブは、後段横向に横桿が設置され、それによってＴ字型スパナとなり、使用者が操作しやすくなることを特徴とする角磨耗ネジを外せる六角スパナとしている。
請求項５の発明は、請求項１記載の角磨耗ネジを外せる六角スパナにおいて、前記嵌合軸の断面槽は、その一側底面に弾性部品を設置する納置孔が形成され、係止部品一側縁には弾性部品最上部を支える凸片が形成されて係止部品を納置円弧槽似相対して上向きに回転させることを特徴とする角磨耗ネジを外せる六角スパナとしている。
【発明の効果】
【００１０】
本発明の角磨耗ネジを外せる六角スパナは、簡単な構造で迅速且つ有効に角磨耗ネジを外せるという利点がある。
【発明を実施するための最良の形態】
【００１１】
図１、２に示すとおり、本発明は、スリーブ１０及び一組の嵌合軸２０から構成される。そのうち、スリーブ１０はラチェット式スリーブスパナもしくは開口スパナもしくはめがねレンチなどに使用され、本発明ではラチェット式スリーブスパナを主な実施例とする。
【００１２】
本発明の実施例は、図１、２及び図３に示すとおり、スリーブ１０の嵌合軸２０に対応する一端に接合孔１５を形成し、嵌合軸２０と嵌合される。続いて六角柱形状の嵌合軸２０は、その一側表面には一筋の納置円弧槽２１が形成される。嵌合軸２０のスリーブ１０に対応する一端には接合段２２が形成され、この接合段２２はスリーブ１０の接合孔１５内に対応して嵌合される。更に嵌合軸２０の接合段２２上には納置円弧槽２１に対して横向に貫く断面槽２３が形成される。更にその断面槽２３の内の一側底面には納置孔２４が形成される。
【００１３】
更に前述の嵌合軸２０は納置円弧槽２１内に係止部品２５を設置する。この係止部品２５底縁には対応する円弧停止面２６が形成され、更に係止部品２５は前述の納置孔２４に対応する箇所に凸片２９が形成される。また嵌合軸２０の断面槽２３の納置孔２４内に弾性部品２７を設置し、その弾性部品２７は係止部品２５の凸片２９底面で押し止め（図４，５参照）、係止部品２５を納置円弧槽２１に相対させて上向きに回転させ、且つ嵌合軸２０の納置円弧槽２１後段には係止部品２５と接合孔１５の間を止める圧縮バネ２８が設置され（図４参照）、係止部品２５をやや突出させることでネジの内六角孔内に入れやすくする。
【００１４】
これによって操作しやすく、且つすでに角が磨耗したネジを確実に係止する六角スパナの構造となる。
【００１５】
本発明の実際の運用は、図２、５及び図６に示すとおり、ネジＡの内六角孔Ｂの角Ｃが磨耗によって正常な六角スパナでは外せない時、本発明の六角スパナの嵌合軸２０をネジＡの内六角孔Ｂ内に嵌め込む。嵌合軸２０の係止部品２５は、弾性部品２７の押しを受けて係止部品２５に対応する側面縁に嵌合軸２０の周辺縁を突出させ、続いて係止部品２５側面縁で内六角孔Ｂの対応する角Ｃを掛合する。更に嵌合軸２０のその他の接触面は、内六角孔Ｂの対応周辺面に当たるので、確実に係止し、有効にネジを外し、便利で確実である。
【００１６】
本発明の別の実施例は、図７に示すとおりで、スリーブ１０後段に横桿を差し込み、Ｔ字型スパナを形成する。そして同じく内六角孔Ｂの角Ｃが磨耗したネジＡを取り外すのに使用する。
【００１７】
図８に示すとおり、嵌合軸２０の接合段２２上に納置円弧槽２１に対して横方向に貫いた断面槽２３が形成され、また嵌合軸の断面槽２３内に弾性部品２７が設置される。この弾性部品２７は係止部品２５の側面縁に当たり、係止部品２５に納置円弧槽２１を相対させて上向きに回転させる。
【図面の簡単な説明】
【００１８】
【図１】本発明の六角スパナの立体分解図で、各主要部品の構成及びその相対関係を説明したものである。
【図２】本発明の六角スパナの立体外観表示図で、本発明組立後の様子を示したものである。
【図３】本発明の六角スパナの局部立体断面表示図である。
【図４】本発明の六角スパナの俯瞰平面表示図である。
【図５】本発明の六角スパナの断面表示図で、弾性部品で係止部品を押し上げた状態を示したものである。
【図６】本発明の六角スパナの実際に使用する平面動作表示図である。
【図７】本発明の六角スパナの別の実施例の立体外観表示図である。
【図８】本発明の六角スパナの更に別の実施例の立体分解表示図である。
【符号の説明】
【００１９】
１０        スリーブ
１５        接合孔
２０        嵌合軸
２１        納置円弧槽
２２        接合段
２３        断面槽
２４        納置孔
２５        係止部品
２６        円弧停止面
２７        弾性部品
２８        圧迫バネ
２９        凸片
【図１】
2007301648.tif 000003
【図２】
2007301648.tif 000004
【図３】
2007301648.tif 000005
【図４】
2007301648.tif 000006
【図５】
2007301648.tif 000007
【図６】
2007301648.tif 000008
【図７】
2007301648.tif 000009
【図８】
2007301648.tif 000010